(57)【要約】【課題】従来よりもより一層肩回り部分におけるゆとりを大きくするとともに、肩線を前に持ってくることにより肩回り部分の圧迫感をなくし、肩や腕の動きを従来のものより、より一層自由にした上着を提供する。【解決手段】上着は、前身頃１の表生地において、衿ぐり１１から袖ぐり１４に向って延びる切込み１５が設けられており、表生地の切込みの箇所の裏面に切込みを開いた状態で当て布が取着され、表生地の切込みの箇所の表面には覆い布７が取着されている。【選択図】    図９
2004323995.tif 000002
【特許請求の範囲】
【請求項１】
上着の前身頃の表生地において、衿ぐりから袖ぐりに向って延びる切込みが設けられており、表生地の該切込みの箇所に切込みを開いた状態で当て布が取着されていることを特徴とする上着。
【請求項２】
前記切込みは前身頃の前中心線よりも肩線に近い衿ぐりの部分から、袖ぐりの下から２／３よりも上の箇所に向って延びていることを特徴とする請求項１記載の上着。
【請求項３】
前記切込みは衿の返り線と肩線との間の衿ぐりの部分から入れられていることを特徴とする請求項１記載の上着。
【請求項４】
前記切込みの長さは衿により覆われる長さであることを特徴とする請求項１から請求項３の何れか１項に記載の上着。
【請求項５】
前記切込みのある表生地の箇所は当て布が取着されている面と反対側の面に前記切込みを覆う覆い布が取着されていることを特徴とする請求項１から請求項４の何れか１項に記載の上着。
【発明の詳細な説明】
【０００１】
【発明の属する技術分野】
本発明は衣服、特に上着に関するものである。
【０００２】
【従来の技術】
上着を着たときの心地の良さは、肩廻りの部分に圧迫感がないことが必要である。このため従来の背広などでは、前身頃および後身頃にダキ（抱き）と言われるふくらみ（脇の下の上方、袖付けのあたりに胸幅のゆとりとして出るふくらみを指し、袖付けにかぶるようにして肩先で自然に消える運動量のこと。或いは背幅のゆとりとして後に出るものはかぶり分と言われるが、前後のダキとも言う）を持たせるようにしている。
【０００３】
図１に従い説明する。なお、図１において二点鎖線が上り線を示し、実線が裁断時の外形を示している。ダキとなるゆとりは、従来は図１（ａ）に示すように、肩線１３は前身頃１においては、ネック部付近はインカーブ１３ａで、肩先側ではアウトカーブ１３ｂになるように生地を裁断するとともに、後身頃２ではインカーブ１３ｃぎみに裁断する。このように裁断したネック部側の部分の前身頃、後身頃の上り線を合わせたときの肩先部分の重なりを図１（ｂ）に示している。この重なりが前肩（すなわち、衣服上の肩回り部分で、肩縫い目線を境とした場合、前側の部分）のゆとり分となるものである。このゆとりは図２に示すように表われる。後身頃では前身頃の肩幅よりも図１（ｂ）に示すように広く取っており、この差の分だけ後身頃をいせ込み、この分が後身頃におけるダキとなり、肩甲骨付近のフィット性を高めるものである。
【０００４】
【発明が解決しようとする課題】
このような技法は従来の背広においても採用されているが、多数の芯地を重ね合せた前毛芯を使用する背広などにおいては、このような肩線の形状とすることにより必要とするゆとりが得られるが、多数の芯地を重ね合せた前毛芯を使わない軽量の上着については、充分なゆとり分を得ることができず、肩廻りに圧迫感があり、フィット感が悪く、着心地がよくないという問題がある。また、素材によっても、例えば、綿素材などはあまりいせ込むこともできないので、充分なゆとりが得難いという問題もある。
【０００５】
【発明の目的】
本発明は、従来よりもより一層肩回り部分におけるゆとりを大きくするとともに、肩線を前に持ってくることにより肩回り部分の圧迫感をなくし、肩や腕の動きを従来のものより、より一層自由にした上着を提供することである。また、本発明の目的は、従来のような芯地を何枚も重ね合せた毛芯などを使用せずに、芯があまり入っていない一枚仕立風の上着などにおいてもフィット感がよく、軽く着用感がよい上着を提供することを目的とする。
【０００６】
【課題を解決するための手段】
本発明は上記目的を、上着の前身頃の表生地において、衿ぐりから袖ぐりに向って延びる切込みが設けられており、表生地の該切込みの箇所に切込みを開いた状態で当て布が取着されていることを特徴とする上着により達成する。
【０００７】
前記切込みは前身頃の前中心線よりも肩線に近い衿ぐりの部分から、袖ぐりの下から２／３よりも上の箇所に向って延びていることが好ましい。また、テーラードカラーの場合、前記切込みは衿の返り線と肩線との間の衿ぐりの部分から入れられる。また、前記切込みの長さは衿により覆われる長さである。更に、前記切込みのある表生地の箇所は当て布が取着されている面と反対側の面に前記切込みを覆う覆い布が取着されていることが好ましい。
【０００８】
【実施例】
以下、図面に基いて本発明を詳細に説明する。図１は従来のテーラードカラーを有する上着（背広、ジャケット等）の裁断状態における前身頃と後身頃の肩の付近を表わした平面図である。図１（ａ）は前身頃１と後身頃２を裁断した状態を示し、図１（ｂ）は前身頃１と後身頃２の肩線１３のネック側の部分を上り線で合せたときの肩先部分の重なりを表わした平面図である。この重なりが前肩のゆとり量となるものである。
【０００９】
従来のものにおいては、前身頃１の肩線はインカーブ部分１３ａとアウトカーブ部分１３ｂとからなり、後身頃２の肩線はインカーブの線１３ｃとなっている。これを図１（ｂ）のようにネック側部分を上り線で合わせた場合に肩先側が重なるが、この重なった部分が前身頃ではゆとり量となり、図２（ａ）においてａで表現したふくらみ（ゆとり）となって表われている。
【００１０】
図２は、従来のテーラードカラーの上着におけるゆとりａを表わしたものであり、図２（ａ）は上着を人台に着せた状態の正面図であり、図２（ｂ）は上着を人台に着せた状態の側面図である。なお、袖の部分は省略している。また、図２（ｃ）はゆとりａが表われている付近における体と上着との間の隙間を説明するための上から見た状態の説明図である。
【００１１】
図１に示すように、前身頃１の肩線と後身頃２の肩線の形状により前身頃にゆとりとなるゆとりａを形成するとともに、後身頃の肩幅は前身頃の肩幅よりも広くし、後身頃の肩幅をいせ込むことにより後身頃のダキ（ゆとり量）を設けることが通常行われているテクニックである。
【００１２】
図２は人台１０に上着を着せた状態を示しているものである。図２（ａ）および図２（ｂ）に示すように、従来のものでも、袖ぐりの肩に近い前身頃にゆとりａが設けられている。しかし、図２（ｃ）に示すように、従来の上着では前身頃側において、肩先と胸とを結ぶ線ｃと前身頃との間の空間ｂはそれ程大きなものではなく、また後身頃２における袖付側の部分には隙間ができている状態であり、肩に馴染んでいる状態ではなく、腕を自由に動かすには充分とは言えなかった。
【００１３】
図３は図２と同様に人台に本発明の上着（この実施例ではテーラードカラーの上着である）を着用させた状態を示すものであり、図３（ａ）は正面図、図３（ｂ）は側面図であり、図３（ｃ）はゆとりａが表われる付近において断面した状態を模式的に示した説明図である。
【００１４】
本発明の上着においては、肩線１３が図３（ｂ）および図３（ｃ）において矢印３７で示すように従来のものよりも前方に移動するとともに、図３（ａ）において矢印３３で示すように前側に下がる。また、前身頃１はその袖ぐり部分が図３（ａ）に矢印３１で示すように前中心寄りに移動するとともに、図３（ｂ）に示すように、前身頃１の部分は矢印３５に示すように前側にも移動する。他方、後身頃２は図３（ａ）に矢印３２で示すように外側に移動するとともに、図３（ｂ）に矢印３６で示すように前に移動する。更に、上衿５は図３（ａ）に矢印３４で示すように、そして図３（ｂ）に矢印３８で示すように、首に沿って立上がった状態となるとともに、ラペル４は前中心に寄るように図３（ｂ）に矢印３９で示すように前中心側に移動する。
【００１５】
このような各部分の移動により、本発明の上着においては、図３（ａ）に示すようにゆとりａは従来のものに比べて大きなものであり、また、衿の前開きは従来よりも狭まったものとなる。また、図３（ｃ）におけるように、前身頃１の肩先と中心とを結ぶ線ｃと前身頃の表面との間の空間ｂは従来のものよりも大きな空間となる。また後身頃の肩先部分は前に移動した分だけ体に沿った状態となっている。
【００１６】
以下にこのようになる本発明の上着の作り方を説明する。
【００１７】
図４から図６は本発明における上着の前身頃となる表生地の処理の手順を示すそれぞれ部分平面図である。図４から図６に示すものは、裁断した状態の表生地の前身頃１の上部のみを示しているものであり、この図面に示した実施例においては、この上着はラペル４を有し、返り線３から折り返えるテーラードカラーの衿を有する上着である。符号１２はゴージ線を示し、符号１１はゴージ線の延長で衿ぐりとなる衿ぐり線を示している。また、符号１３で示した肩線は従来の上着と同様にネック側がインカーブ１３ａになり、肩先側がアウトカーブ１３ｂとなっている。符号１４は袖ぐり線を示している。符号１６は前中心線を示している。なお、図示しないが、後身頃の肩線形状も従来と同様である。
【００１８】
このような前身頃１において、返り線３と肩線１３の間の衿ぐり１１の箇所において、袖ぐりに向って切込み１５を先ず入れる。次に、図５に示すように、この切込み１５を衿ぐり１１側から開いた状態とする。この開いた状態に固定するために前身頃１の表生地の裏側から当て布６を当てる。当て布６の素材は限定されないが、表生地に仮止めできることが好ましい。接着芯等が利用し易い。また、当て布６の大きさは開いた切込み１５よりも大きければよいが、肩線側が肩線１３に達する大きさとすることが好ましい。このようにすると、前身頃の肩線と後身頃の肩線とを縫い合わす際に、当て布６も一緒に縫われるので、当て布６がずれたりせず安定する。
【００１９】
図７は図５の切込み部付近を拡大して示したものである。切込み１５を開いた状態にする手順を、当て布６として接着芯を用いた場合で説明する。先ず、切込み１５の箇所で前身頃１の表生地の裏側に接着芯６を当てる。次に、切込み１５の肩に近い側の表生地の部分を加熱して接着芯６に固定する。その後、切込み１５を開いた状態で切込み１５の反対側（すなわち肩から遠い側）の表生地の部分を加熱して接着芯６に固定する。そして、開いた切込み１５の周囲を図７に示すようにコバステッチ１７を掛けてその周辺を止める。このように切込み１５を開いた状態とすると、この部分が袖の方向にゆとりａとして表われる。
【００２０】
次に、図６に示すように、開かれた切込み１５を隠すように覆い布７を上から表生地の表面から取着する。図８は図７と同様に図６の切込み部付近を拡大して示したものである。すなわち、図８はに示すように、覆い布７の周縁をコバステッチ１８を掛けて前身頃１の表生地に取着する。覆い布７の素材としては、テープや合成皮革のように端の部分を処理しないような生地を用いることが好ましいが、これに限定されるものではない。
【００２１】
切込み１５の開き具合は、出来上がり状態の衿ぐり線上において、１〜５ｍｍ、好ましくは２．５〜４ｍｍ位である。標準の体型の人の場合は３ｍｍ位開いていればよい。この開き具合は着る人の体型によって、例えば肩が前に出ている体型の人、反り身の体型の人等の違いにより変化させればよい。また、表生地の素材によって変化させればよい。
【００２２】
図９は出来上がった製品において、衿４、５を返して切込み付近を見せた状態を示している。切込み１５の長さは衿４、５を二点鎖線で示す通常の状態にしたときに衿によって隠れるようにすることが好ましく、通常、出来上がった状態での衿ぐり線から、その先端までの長さは２〜６ｃｍ程度の長さとする。なお、この長さは衿の幅によって適宜変える。図６および図９に示した実施例では、切込み１５および覆い布７は上衿５によって覆われて外からは見えない状態となる。
【００２３】
なお、この切込み１５は図４から図９に示した実施例では、返り線３と肩線１３との間の衿ぐり１１に設けているが、返り線がないような衿に適用する場合には、前中心線１６よりは肩線に近い側、すなわち、前身頃における衿ぐりの中間点と肩線との間に設ければよい。特に、肩線１３寄りに切込みを入れることが好ましい。
【００２４】
切込み１５の衿ぐり１１と反対側の先端は袖ぐり１４の上部に向って延びて行く。すなわち、袖ぐり１４の下から２／３以上、上の部分に向って延びて行くようにすることが好ましい。このようにすると、ゆとり分が求められる前肩の箇所にゆとりａが形成されるので、肩や腕の動きを良くするために好ましい。
【００２５】
図１０は本発明の別の実施例を示すものであり、図９と同様の正面図である。この実施例においては、先に説明した実施例と異なって覆い布７が存在しない。この実施例の場合は、当て布６としては表生地と同じ生地を用いることが好ましい。そして、開いた切込み１５の周縁を端ミシンによってかがるようにするとよい。
【００２６】
先に説明したように、本発明においては肩線に近い衿ぐり部分から切込み１５を入れ、その切込みを開いた状態に固定しているものである。切込み１５を開いたことにより図３に示すように後身頃２と縫製した状態においては肩線は矢印３３および３７で示したように前および下方に移動し、その結果として袖ぐり部分も符号３１、符号３５で示すように、前および内側（前中心側）に移動する。これにより大きなゆとりａができる。また、前身頃１がこのように動くことにより、それにつれて後身頃２の肩線も前に移動するとともに、後身頃の袖ぐり部分も矢印３２、３６で示すように前側に且つ外側に移動した状態になり、後の肩甲骨に沿った状態となる。一方、肩線が前および下に移動したことによりネック部分では、上衿５が矢印３４、３８に示すように、上に上り（登り）、それとともにラペル４も前中心寄りに寄った形状で前開き部分が体に沿った状態となる。前述のような動きにより図３（ｃ）で説明したように、前肩の部分に大きな空間ｂが形成される。
【００２７】
【発明の効果】
本発明によれば、上着の前身頃の肩回りに充分なゆとりが形成され、肩の動きに追従する前肩部分の空間が形成されており、本発明の上着は肩回りの部分に圧迫感がなく、重さを感じさせることがなく、極めて着心地のよいものである。
【００２８】
本発明の上着においては、特にテーラードカラーの上着においては、衿が首に吸付くように自然な上りが形成される。また、衿の後が上に登ってくるとともに、後身頃の袖ぐりも前方および外方に移動するので、背中にできるダキが綺麗に収まった状態となる。
【００２９】
更に、本発明の上着においては、前身頃に切込みを入れたことにより前身頃のゆとりのみならず後身頃も動くので腕の動きが自由になるとともに、胸のフィット感もよくなる。肩線、特に肩先部、が前に移動したことによる効果（前肩効果）によって前身頃のダキが美しく収まった状態となる。
【００３０】
本発明の上着は付属使いの少ない上着に適し、一枚仕立のような上着にも適するものである。また、本発明の上着は衿ぐりに切込みを入れるため、スタンドカラーではなく、折り衿あるいはテーラードカラーのような衿が付いている服に適している。
【図面の簡単な説明】
【図１】従来のテーラードカラーを有する上着の裁断状態における前身頃と後身頃の肩の付近を表わした平面図である。図１（ａ）は前身頃と後身頃を裁断した状態を示し、図１（ｂ）は前身頃と後身頃の肩線のネック側の部分を上り線で合せたときの肩先部分の重なりを表わした平面図である。
【図２】従来のテーラードカラーの上着におけるゆとりａを表わしたものであり、図２（ａ）は上着を人台に着せた状態の正面図であり、図２（ｂ）は上着を人台に着せた状態の側面図である。図２（ｃ）はゆとりａが表われている付近における体と上着との間の隙間を説明するための上から見た状態の説明図である。
【図３】図２と同様に人台に本発明の上着を着用させた状態を示すものであり、図３（ａ）は正面図、図３（ｂ）は側面図であり、図３（ｃ）はゆとりａが表われる付近において断面した状態を模式的に示した説明図である。
【図４】本発明における上着の前身頃となる表生地の処理の手順を示す部分平面図である。
【図５】本発明における上着の前身頃となる表生地の処理の手順を示す部分平面図である。
【図６】本発明における上着の前身頃となる表生地の処理の手順を示す部分平面図である。
【図７】図５の切込み部付近を拡大して示した図である。
【図８】図６の切込み部付近を拡大して示した図である。
【図９】本発明に係る出来上がった製品において、衿を返して切込み付近を見せた状態を示す正面図である。
【図１０】本発明の別の実施例の図９に対応する図である。
【符号の説明】
１  前身頃
２  後身頃
３  返り線
４  ラペル
５  上衿
６  当て布
７  覆い布
１１  衿ぐり
１３  肩線
１４  袖ぐり
１５  切込み
ａ  ゆとり
【図１】
2004323995.tif 000003
【図２】
2004323995.tif 000004
【図３】
2004323995.tif 000005
【図４】
2004323995.tif 000006
【図５】
2004323995.tif 000007
【図６】
2004323995.tif 000008
【図７】
2004323995.tif 000009
【図８】
2004323995.tif 000010
【図９】
2004323995.tif 000011
【図１０】
2004323995.tif 000012